(57)【要約】      （修正有）【課題】パッケージの容積を縮小して再成形することで容積を半分にでき、さらに成形工程において糊付けを不要とする。【解決手段】パッケージ１は略方形に形成した表面部２と、一側縁２ａ辺側を折曲げて形成した細長形状の表面背表紙部３と、一側縁３ａを折曲げて連接される前記表面部と同一形状の裏面部４と、側縁４ａ辺側を折り曲げて前記表面背表紙部と同一形状の裏面背表紙部５と、一側縁５ａ辺側を折り曲げて形設された差込突起６が設けられた外表挿着部７と、前記表面部の上下側縁２ｂ、２ｃ辺側を折り曲げて前記表面背表紙部３と同一形状の一対の側面背表紙部８，９と、該側面背表紙部の両側側縁を折り曲げて形成し相対向する位置の先端に連結突片１０，１１とこの連結突片を装着する挿着口１６，１７，１８，１９の先端中央部に設けられた内側係止部１２，１３とで構成される。【選択図】図１
0003116407.tif 000002
【実用新案登録請求の範囲】
【請求項１】
一枚の硬質プラスチックシート或いは硬質の紙から構成され、略方形に形成した表面部と、その表面部の一側縁辺側を折曲げて形成した細長形状の表面背表紙部と、該表面背表紙部の一側縁を折曲げて連接される前記表面部と同一形状の裏面部と、該裏面部の他側縁辺側で前記表面背表紙部と同一形状の裏面背表紙部と、該裏面背表紙部の他縁辺側に形設され先端に差込突片が形設された外表装着部と、前記表面部の上下を折り曲げて形成した前記表面背表紙部と同一形状の一対の側面背表紙部と、該側面背表紙部の両側側縁を折り曲げ相対向して形成され、先端に連結突片と該連結突片を挿着する装着口が形設された内側掛止部とから構成される箱形状のアプリケーションソフト用パッケージであって、前記表面背表紙部と前記一対の側面背表紙部の中央部に各側縁に沿って折り目を形設すると共に前記裏面部の前記表面背表紙部と対向する側に側縁に沿って前記折り目で形成される折幅と同一の幅の折り目を形成してなり、前記パッケージを一旦解体後、前記各折り目を屈曲して、前記表面背表紙幅を略半分にした箱形状に形成することを特徴とするアプリケーションソフト用パッケージ。
【請求項２】
前記側面背表紙部の両側に相対向して形成される内側掛止部は、前記側面背表紙の側縁を折り曲げた立上り裾部とこれに続く三角状部の先端部に形設される連結突片とこの連結突片の下部に形設された前記連結突片を装着する第１の装着口と第２の装着口が並設して開口してなることを特徴とする請求項１記載のアプリケーションソフト用パッケージ。
【請求項３】
前記表面部の開放側側縁には、前記差込突片が挿入される第１の切込み溝と第２の切込み溝が並設して開口されていることを特徴とする請求項１記載のアプリケーションソフト用パッケージ。
【考案の詳細な説明】
【考案の技術分野】
【０００１】  本考案は、アプリケーションソフト購入者が箱状のパッケージの折り目に従いパッケージを再形成することにより、パッケージ容積を半分にすることのできるパソコンのアプリケーション用パッケージに関する。
【背景技術】
【０００２】  パソコンのアプリケーション用パッケージは、ソフトを収納したＣＤ或いはＦＤが数ミリと比較的薄いが、中身が判るように、背表紙に幅のある箱体に形成されている。これは陳列棚に並ぶ場合、表題としての中身が判り易くするだけでなく、広告としての目的がありそのため背表紙の面積は必然的に大きくなっていた。【０００３】  例えば、実用新案登録第３０３２１０１号考案に示すように、パソコンのアプリケーション用パッケージは、背表紙が充分に確保されている。【０００４】  しかし、その中身は箱の容積に比して少量のものが多数であり、内容物はセットであるため箱と共に収納することになるため、購入者はパッケージの大きさからその収納面積を強いられていた。このためパッケージは商品のわりには嵩高なものとなっている。【０００５】  また、従来のパッケージは成形工程において、箱を形成に一部に糊付けをするという作業があった。しかし、このようなパッケージは、嵩高になるため保存・管理に場所をとる。更に、糊付け工程は製造コストがつくことになる。
【特許文献】    実用新案登録第３０３２１０１号明細書
【考案が解決しようとする課題】
【０００６】  本考案者は、鋭意研究の結果、解体したパッケージの容積を半分にして再成形することができ、さらに成形工程において糊付けが不要なパソコンのアプリケーション用パッケージを提供するものである。
【課題を解決するための手段】
【０００７】  上記課題を解決するための請求項１に係るアプリケーションソフト用パッケージは、一枚の硬質プラスチックシート或いは硬質の紙から構成され、略方形に形成した表面部と、その表面部の一側縁辺側を折曲げて形成した細長形状の表面背表紙部と、該表面背表紙部の一側縁を折曲げて連接される前記表面部と同一形状の裏面部と、該裏面部の他側縁辺側で前記表面背表紙部と同一形状の裏面背表紙部と、該裏面背表紙部の他縁辺側に形設され先端に差込突片が形設された外表装着部と、前記表面部の上下を折り曲げて形成した前記表面背表紙部と同一形状の一対の側面背表紙部と、該側面背表紙部の両側側縁を折り曲げ相対向して形成され、先端に連結突片と該連結突片を挿着する装着口が形設された内側掛止部とから構成される箱形状のアプリケーションソフト用パッケージであって、前記表面背表紙部と前記一対の側面背表紙部の中央部に各側縁に沿って折り目を形設すると共に前記裏面部の前記表面背表紙部と対向する側に側縁に沿って前記折り目で形成される折幅と同一の幅の折り目を形成してなり、前記パッケージを一旦解体後、前記各折り目を屈曲して、前記表面背表紙幅を略半分にした箱形状に形成することを特徴とする。
【０００８】  請求項２のアプリケーションソフト用パッケージは、前記側面背表紙部の両側に相対向して形成される内側掛止部は、前記側面背表紙の側縁を折り曲げた立上り裾部とこれに続く三角状部の先端部に形設される連結突片とこの連結突片の下部に形設された前記連結突片を装着する第１の装着口と第２の装着口が並設して開口してなる。
【０００９】  請求項３のアプリケーションソフト用パッケージは、前記表面部の開放側側縁には、前記差込突片が挿入される第１の切込み溝と第２の切込み溝が並設して開口されている。
【考案の効果】
【００１０】  請求項１によれば、天地左右の各背表紙と裏面部に折り目が形設されているので、折り目に従って箱を再成形することにより該パッケージの容積を半分にすることができる。これによって、購入者が保管する場合はその収納面積を購入時の半分にすることができるので、嵩ばらない。また、商品として店頭に陳列される場合、従来の面積を保持し広告効果を維持できる。
また、一枚の硬質プラスチックシート或いは硬質の紙から構成され、更に装着して組み立てるので、糊付でパッケージを組み立てる必要が無い。組立式で箱状に形成できる。
【００１１】  請求項２及び３によれば、内側を連結突片と挿着口で連結して箱状に形成し、外側は裏面部を差込突片の差し込んで、内側を覆うので、前記パッケージの成形工程において糊付けの工程を省くことができる。また、差込式であるので、連結突片と差込突片を外せば容易に解体、折り目を折り曲げると容積を半分にした再形成が容易に行うことができる。
【考案を実施するための最良の形態】
【００１２】  本考案の実施の形態を示す、図面を参照して説明する。図１はシートの展開図、図２は折り曲げ線による箱の形成状態を示す斜視図、図３は図２の箱の斜視図、図４は折り目線による箱の斜視図である。【００１３】  図１において、１は一枚の硬質プラスチックシートまたは厚手の紙から構成されるアプリケーションソフト用パッケージ（以下パッケージと言う）を示す。パッケージ１は略方形に形成した表面部２と、その表面部２を一側縁２ａ辺側を折曲げて形成した細長形状の表面背表紙部３と、この表面背表紙部３の一側縁３ａを折曲げて連接される前記表面部と同一形状の裏面部４と、この裏面部４の側縁４ａ辺側を折り曲げて前記表面背表紙部３と同一形状の裏面背表紙部５と、該裏面背表紙部５の一側縁５ａ辺側を折り曲げて形設された差込突起６が設けられた外表挿着部７と、前記表面部２の上下側縁２ｂ、２ｃ辺側を折り曲げて前記表面背表紙部３と同一形状の一対の側面背表紙部８，９と、この側面背表紙部８，９の両側側縁８ａ、９ａを折り曲げて形成した内側係止部１２，１３で構成され、この内側係止部１２，１３には相対向する位置の先端に連結突片１０，１１とこの連結突片１０，１１を装着する挿着口１６，１７，１８，１９が先端中央部に設けられている。【００１４】  図中、符号１４は表面部２に開口された差込突片６を装着する第１の切込み溝、１５は同じく第２の切込み溝を示す。第１の切込み溝１４は、最初の組み立てパッケージで使用する切込み溝である。また、第２の切込み溝１５は、容積を半分にする折り目で形成されるパッケージの形成に使用される切込み溝である。【００１５】  また、表面部２の上下一側縁２ｂ、２ｃには、表面背表紙部３と同一形状の一対の裏面背表紙部８、９が折り曲げ線２ｂ、２ｃを介して折り曲げて形成されている。その両側に相対向して内箱を形成する内側係止部１２，１３が取り付けられている。内側係止部１２，１３には、三角状部の先端部に形設される連結突片１０，１１とこの連結突片１０，１１の下部に形設された第１及び第２の挿着口１６，１７，１８，１９が形成されている。
これによって、パッケージの成形工程において、組立式で形成できるので、糊付けの工程を省くことができる。【００１６】  また、図中、符号１６，１８は内側係止部１２，１３に開口された連結突片１０，１１を挿入する半円状の第１の挿着口、１７，１９は同じく連結突片１０，１１を挿入する半円状の第２の挿着口を示す。第１の挿着口１６，１８は、最初の組み立てパッケージで使用する挿着口である。また、第２の挿着口１７，１９は、容積を半分にする折り目で形成されるパッケージの形成に使用される切込み溝である。
また、符号２０は、背面背表紙部８，９の縦両側に形設されたそれぞれ一対のヒンジである。このヒンジ２０，２０，２０，２０は折り目に対応して２分割されている。【００１７】  本考案は、特に表面背表紙部３と前記一対の裏面背表紙部８，９の中央部に沿って折り目２１，２２，２３を形設する。また、裏面部４の表面背表紙部３と対向する側に前記折り目２１，２２，２３で形成される折幅と同一の幅の折り目２４を形設する。【００１８】  パッケージ１からＣＤソフトを取り出し、パッケージ１を解体した後、前記各折り目２１，２２，２３，２４に沿って屈曲する。これによって、表面背表紙幅３を略半分にしたパッケージ１に再形成することになる。【００１９】  本考案に係るパッケージの形成方法を図２及び図３を参照して説明する。
図２に示すように、裏面背表紙部８，９を側縁２ｂ，２ｃ左右両側から、また、側縁２ａをそれぞれの表面部２に向けて折り曲げて立ち上げる。更に側縁８ａ，９ａ，３ａを折り返し、これに続く内側係止部１２，１３を内側に屈曲し、連結突片１０，１１を第１の挿着口１６，１８に挿入して内箱を形成する。この箱形の内部にＣＤソフト、ディスクなどの商品を納品する。しかる後、側縁３ａを屈曲し、更に裏面部４を内側係止部１２，１３の上面に当接し、そこで側縁４ａと側縁５ａを折り曲げ、表面部２を折り返して突起６を第１の切込み溝１４に挿入する。このようにしてパッケージを箱型に組み立てる。
図３に示すように、（ａ）は裏面背表紙部５が確認できる状態の斜視図、（ｂ）は表面背表紙部３が確認できるようにした斜視図である。【００２０】  次に、本考案に係るパッケージの再形成方法を図４を参照して説明する。
すなわち、このパッケージ１の差込片６を第１の切込み溝１４から外し、ついで連結突片１０，１１を挿着口１６，１７から外すとパッケージ１が解体され、図２に示す状態になる。ここで、表面背表紙部３と前記一対の側面背表紙部８，９の中央部に沿って形成されている折り目２１，２２，２３を内側に折り曲げる。また、同時に裏面部４の折り目２４に沿って折り曲げる。【００２１】  表面背表紙部３の折り目２１で屈曲し、更に裏面部４を内蓋部１２，１３の上面に当接し、そこで折り目２４を折り曲げ、裏面背表紙部５と外蓋部７を一体にして折り返して差込片６を手前側の第２の切込み溝１５に挿入する。このようにしてパッケージを箱型にを組み立てる。【００２２】  図４に示すように、（ａ）は表面背表紙３が確認できるようにした斜視図、（ｂ）は裏面背表紙部５が確認できる状態の斜視図である。【００２３】  パッケージ１からＣＤソフトを取り出して解体した後、前記各折り目２１，２２，２３，２４を屈曲する。前記表面背表紙幅３を略半分にしたパッケージ１に再形成することになる。
【産業上の利用可能性】
【００２４】  本考案によれば、天地左右に折り目を付け、折り目に従って箱を再成形することにより該パッケージの容積を半分にすることができる。
また、商品として店頭に陳列される場合従来の面積を保持し広告効果を維持でき、購入者が保管する場合はその収納面積を購入時の半分にすることができる。
さらに、前記パッケージの成形工程において糊付けの工程を省くことができる。
【図面の簡単な説明】
【００２５】
【図１】本考案の実施態様を示す平面図。
【図２】折り曲げ線による箱の形成状態を示す斜視図。
【図３】図２の箱の斜視図。
【図４】折り目線による箱の斜視図。
【符号の説明】
【００２６】  １…アプリケーションソフト用パッケージ
２…表面部
２ａ，２ｂ，２ｃ，３ａ４ａ，５ａ…一側縁
３…表面背表紙部
４…裏面部
５…裏面背表紙部
６…差込片
８，９…側面背表紙部
８ａ，９ａ…側縁
７，１２，１３…掛止片
１４，１５…切込み溝
１６，１７，１８，１９…装着口
２０…ヒンジ
２１，２２，２３，２４…折り目
【図１】
0003116407.tif 000003
【図２】
0003116407.tif 000004
【図３】
0003116407.tif 000005
【図４】
0003116407.tif 000006